(57)【要約】【課題】雪が掬部本体に残留せず作業効率の良い除雪用具を提供すること。【解決手段】先端部２４を有する掬部本体２と、掬部本体２に取付可能な柄部３とを有し、掬部本体２の内側に雪を保持可能な保持面２１が設けられ、保持面２１は、先端部２４以外を囲繞するように底面２２ｄ及び側面２２ａ，２２ｂ，２２ｃとが互いに連続的に緩やかな曲面で連接され、かつ雪が保持面２１から排出される際の摩擦力を増大させる障害物が形成されない構成とした。また、保持面２１の幅は、先端部２４近傍よりも、先端部２４から離れた位置の方が広く設定されている。【選択図】図４
0003117289.tif 000002
【実用新案登録請求の範囲】
【請求項１】
先端部を有する掬部本体と、前記掬部本体に取付可能な柄部とを有し、前記掬部本体の内側に雪を保持可能な保持面が設けられてなる除雪用具であって、
前記保持面は、前記先端部以外を囲繞するように底面及び側面とが互いに連続的に緩やかな曲面で連接され、かつ雪が該保持面から排出される際の摩擦力を増大させる障害物が形成されない構成としたこと
を特徴とする除雪用具。
【請求項２】
前記掬部本体の中心線に直交する方向の前記保持面の断面形状が、略弓形であることを特徴とする請求項１に記載の除雪用具。
【請求項３】
先端部を有する掬部本体と、前記掬部本体に取付可能な柄部とを有し、前記掬部本体の内側に雪を保持可能な保持面が設けられ、該保持面は、前記先端部以外を囲繞するように底面及び側面とからなる除雪用具であって、
前記保持面の幅は、前記先端部近傍よりも、前記先端部から離れた位置の方が広く設定されてなること
を特徴とする除雪用具。
【請求項４】
前記保持面の側面は、前記先端部から末広がりに設けられてなることを特徴とする請求項３に記載の除雪用具。
【請求項５】
前記保持面は、前記底面及び前記側面が互いに連続的に緩やかな曲面で連結される構成としたことを特徴とする請求項３又は請求項４に記載の除雪用具。
【請求項６】
前記保持面には、雪が前記保持面から排出される際の摩擦力を増大させる障害物が形成されていない構成としたことを特徴とする請求項３乃至請求項５のうち、いずれか１に記載の除雪用具。
【請求項７】
前記掬部本体には、隆起部が設けられ、該隆起部の頂部の両側に第１保持面と第２保持面を有することを特徴とする請求項１乃至請求項６のうち、いずれか１に記載の除雪用具。
【請求項８】
前記隆起部は、前記掬部本体の中心線に沿って設けられていることを特徴とする請求項７に記載の除雪用具。
【請求項９】
前記掬部本体は、樹脂により一体成形されてなることを特徴とする請求項１乃至請求項８のうち、いずれか１に記載の除雪用具。
【考案の詳細な説明】
【技術分野】
【０００１】
本考案は、除雪用具に関し、特に、保持した雪を残らずに排出することができる除雪用具に関する。
【背景技術】
【０００２】
除雪作業においては、一般的に除雪スコップやいわゆるスノーダンプのような除雪用具が広く使用されており、このような除雪用具に関しては、一例として、特許文献１（意匠登録第５９９２７５号公報）や特許文献２（特開２００４−１２４３９１号公報）に開示されているようなものが存在する。
【０００３】
従来の除雪スコップは、重量を軽減すること等を目的として掬部本体の底部に多数の孔が設けられているものや（特許文献１参照）、掬部本体の補強のために掬部本体の底面に複数の凸部が形成されているものがある（特許文献２参照）。
【０００４】
また、従来の除雪スコップの掬部本体の保持面は、特許文献１の除雪スコップのように、先端部側が広く開口され柄部に向って先窄まりの形状となっているものや、特許文献２の除雪スコップのように、掬部本体の先端部から柄部に向って略同じ幅で形成されているものがある。
【０００５】
【特許文献１】意匠登録第５９９２７５号公報
【特許文献２】特開２００４−１２４３９１号公報
【考案の開示】
【考案が解決しようとする課題】
【０００６】
しかしながら、従来の除雪スコップでは、掬部本体の保持面に孔や凸部が設けられていることから、保持面に保持された雪を排出する場合、雪が孔や凸部に引っ掛かり、保持面をうまく滑らずに掬部本体の保持面にその全部又は一部が残留してしまって雪を完全に排出できない場合があり、作業効率が悪いものとなっていた。
【０００７】
また、従来の除雪スコップでは、雪を掬い上げた際に、雪が掬部本体の先端部からそのまま奥へ滑り込み、先窄まりに形成された保持面や、先端部と同じ幅で形成された保持面によって雪自身の重みが相俟って押し固められて保持されるため、保持された雪を排出する場合に、前記のように押し固められた雪が掬部本体に残留して雪を完全に排出できない場合があり、やはり作業効率が悪いものとなっていた。
【０００８】
本考案は、上記事情に鑑みてなされたものであって、保持された雪を排出する場合に、掬部本体の保持面を雪が移動しやすくし、また、保持される雪に圧力が加わり難くすることによって、雪が掬部本体に残留せず作業効率の良い除雪用具を提供することを目的とする。
【課題を解決するための手段】
【０００９】
本考案による除雪用具は、先端部を有する掬部本体と、前記掬部本体に取付可能な柄部とを有し、前記掬部本体の内側に雪を保持可能な保持面が設けられてなる除雪用具であって、前記保持面は、前記先端部以外を囲繞するように底面及び側面とが互いに連続的に緩やかな曲面で連接され、かつ雪が該保持面から排出される際の摩擦力を増大させる障害物が形成されない構成としたことを特徴とする。
【００１０】
また、本考案による除雪用具は、前記掬部本体の中心線に直交する方向の前記保持面の断面形状が、略弓形であることを特徴とする。
【００１１】
また、本考案による除雪用具は、先端部を有する掬部本体と、前記掬部本体に取付可能な柄部とを有し、前記掬部本体の内側に雪を保持可能な保持面が設けられ、該保持面は、前記先端部以外を囲繞するように底面及び側面とからなる除雪用具であって、前記保持面の幅は、前記先端部近傍よりも、前記先端部から離れた位置の方が広く設定されてなることを特徴とする。
【００１２】
また、本考案による除雪用具は、前記保持面の側面は、前記先端部から末広がりに設けられてなることを特徴とする。
【００１３】
また、本考案による除雪用具は、前記保持面は、前記底面及び前記側面が互いに連続的に緩やかな曲面で連結される構成としたことを特徴とする。
【００１４】
また、本考案による除雪用具は、前記保持面には、雪が前記保持面から排出される際の摩擦力を増大させる障害物が形成されていない構成としたことを特徴とする。
【００１５】
また、本考案による除雪用具は、前記掬部本体には、隆起部が設けられ、該隆起部の頂部の両側に第１保持面と第２保持面を有することを特徴とする。
【００１６】
また、本考案による除雪用具は、前記隆起部は、前記掬部本体の中心線に沿って設けられていることを特徴とする。
【００１７】
また、本考案による除雪用具は、前記掬部本体は、樹脂により一体成形されてなることを特徴とする。
【考案の効果】
【００１８】
本考案による除雪用具によれば、保持面は、先端部以外を囲繞するように底面及び側面とが互いに連続的に緩やかな曲面で連接され、かつ雪が保持面から排出される際の摩擦力を増大させる障害物が形成されない構成としたので、掬部本体の保持面に保持された雪を排出する際、雪が保持面をスムーズに移動して先端部から排出させることが可能となり、保持面に雪が残留することがなく、除雪作業の作業効率の向上を図ることができる。
【００１９】
また、本考案による除雪用具によれば、保持面の幅が、先端部近傍よりも先端部から離れた位置の方が広く設定されることにより、先端部から離れるに従って、雪の収容空間が幅方向に大きくなるように構成されているので、雪を掬い取って保持面に保持する際、雪は掬部本体の先端部から入り込んで、保持面を滑って移動し、奥側まで進んだときに幅方向に雪を分散させることができる。その結果、掬い取られる雪は、保持面の奥側で押し固められることなく保持可能になっているので、その保持された雪を排出する場合に、雪が保持面に残留することなく雪を排出でき、除雪作業の作業効率の向上を図ることができる。
【００２０】
また、本考案による除雪用具によれば、掬部本体に隆起部を設け、その両側に第１保持面と第２保持面を形成したので、第１保持面及び第２保持面には雪が移動するのに障害となるものが存在せず、雪を排出する際に第１保持面及び第２保持面に雪が残留することがなく、除雪作業効率を向上させることができるとともに、隆起部によって掬部本体の補強をも図ることができる。
【００２１】
また、本考案による除雪用具は、掬部本体を樹脂により一体成形することにより、簡易かつ安価に大量生産することができる。
【考案を実施するための最良の形態】
【００２２】
以下、本考案を実施するための最良の形態を、図面に基づき説明する。図１は、本考案に係る除雪用具の第１の実施の形態を示す図、図２は、図１のＩ−Ｉ線に沿う断面図、図３は、図１のＩＩ−ＩＩ線に沿う断面図、図４は、本考案に係る除雪用具の第１の実施の形態を示す全体斜視図である。
【００２３】
図１及び図４に示すように、除雪用具としての除雪スコップ１は、掬部本体２と、掬部本体２に取り付けられた柄部３とから構成されている。
【００２４】
図１に示すように、掬部本体２は、全体が略四角形の皿状に形成され、柄部３を取り付けるための柄取付部２８と、足掛部２７と、雪を保持する保持面２１とを有する。
【００２５】
掬部本体２の雪を掬い入れる側（雪を排出する側）を先端部２４とした場合において、図１及び図４に示すように、先端部２４とは反対側の掬部本体２の部位に、略筒状で形成された柄取付部２８が設けられ、棒状でなる柄部３の一端を挿入して取付固定可能であり、柄部３は着脱可能である。なお、図４に示すように、柄部３の他端には取っ手３１を設けるようにしてもよい。
【００２６】
保持面２１は、掬部本体２の内側に形成されて雪を保持するための面であり、底面２２ｄと、底面２２ｄを囲繞するように設けられた側面２２ａ，２２ｂによって構成される。具体的には、底面２２ｄの先端部２４側は、雪の掬い入れ又は排出を行なうために側面は設けないで平坦に形成し、先端部２４側を除く底面２２ｄの周囲を囲繞するようにして側面２２ａ，２２ｂが設けられている。
【００２７】
また、図１及び図４に示すように、掬部本体２の中心線ＣＬ（図１）に沿って、柄取付部２８から先端部２４近傍にかけて隆起部２６が形成され、その頂部２６ａ（中心線ＣＬ）を境にして隆起部２６の両側は、側面２２ｃ，２２ｃとなり、中心線ＣＬに対して対称な第１保持面２１ａと第２保持面２１ｂとが形成されて、保持面２１が２つで構成されている。なお、隆起部２６を中心線ＣＬ（図１）方向に沿わせることなく別の位置に設けることによって、非対称な第１保持面２１ａと第２保持面２１ｂを形成するように構成してもよい。
【００２８】
図２に示すように、側面２２ａ，２２ｃは、底面２２ｄから緩やかな曲面を介して連続的に立ち上げられており、底面２２ｄと側面２２ａ，２２ｃとによって角が形成されない円滑な構成になっている。また、図３に示すように、側面２２ｂも同様にして底面２２ｄから緩やかな曲面を介して連続的に立ち上げられている。さらに、図１に示すように、側面２２ａ，２２ｃと側面２２ｂとが角を形成せず、円滑な構成とするために、側面２２ａ，２２ｃと側面２２ｂとが緩やかな曲面を介して連続的に設けられている。
【００２９】
一例として、図１に示すように、ラインＡで囲まれた内側の領域は平坦に構成し、ラインＡとラインＢとで囲まれた領域は、前記ラインＡで囲まれた内側の領域から緩やかに立ち上がる曲面で構成することによって、底面２２ｄと側面２２ａ，２２ｂ，２２ｃとを連続的に設けるようにする。従って、掬部本体２の中心線ＣＬ（図１）に直交する方向の保持面２１（第１保持面２１ａ、第２保持面２１ｂ）の断面形状は、図２に示すように略弓形となるように構成される。なお、図１に示したラインＡ及びラインＢは、曲面状態を説明する便宜上示したものであり、図２乃至図４に示すように、実際にはラインＡ及びラインＢは角等として表れるものではない。
【００３０】
本実施の形態では、底面部２２ｄは、先端部２４近傍は平坦に形成するとともに（図１及び図４参照）、ラインＡ（図１）の内側の領域を平坦に構成したものを説明したが、本考案はこのような構成に限定されるものではない。例えば、前記のような平坦な領域を設けることなく保持面２１（第１保持面２１ａ及び第２保持面２１ｂ）の総てを曲面として構成することによって略球面を呈するようにしてもよく、また、本実施の形態のように先端部２４近傍の底面部２２ｄは平坦に形成しつつ、中心線ＣＬ（図１）方向に沿って先端部２４から離れるのに従ってラインＡ（図１）の内側の平坦な領域を漸次縮小して、図１のＩ−Ｉ線よりも柄取付部２８側の保持面２１（第１保持面２１ａ及び第２保持面２１ｂ）を曲面として構成することによって略球面を呈するようにしてもよい。
【００３１】
保持面２１（第１保持面２１ａと第２保持面２１ｂ）上には、保持面２１に保持された雪を矢印Ｃ（図１）方向に保持面２１から先端部２４を介して排出する際に、前記雪との摩擦力を増大させる障害物、例えば、重量を軽減する孔（特許文献１参照）や掬部本体を補強するための凸部（特許文献２）等が形成されず、円滑な面で構成されている。
【００３２】
除雪スコップ１を雪の中に差し込みやすいように、側面２２ａ及び側面２２ｃ（隆起部２６）の高さは、掬部本体２の先端部２４近傍では低く、基端部２３に向って漸次高く形成されている。
【００３３】
本実施の形態では、前記のように隆起部２６を形成して、保持面２１が第１保持面２１ａと第２保持面２１ｂとの２つで構成されているものを説明したが、隆起部２６を設けることなく、全体として１つの保持面２１を有する除雪スコップとして構成してもよい。
【００３４】
図２及び図３に示すように、側面２２ａ，２２ｂの上端部は外側へ折り返す構成とすることによって縁部２９が形成されており、縁部２９のうち、柄取付部２８を挟む両側は足掛部２７となっており、雪を掬い取る場合に足を掛けることができるようになっている。また、足掛部２７には、作業者の足が滑り落ちないように滑り落ち防止加工として複数の突起２７ａが設けられている。なお、滑り落ち防止加工としては、突起２７ａのほか、縞状に刻んだ複数の溝を設けてもよく、その他滑り落ちを防止するために好適な構成を適宜採択することができる。
【００３５】
掬部本体２は、合成樹脂による一体成形品とするのが好適である。また、柄部３としては、木製の棒材、アルミニウムや鉄等の金属製のパイプ、樹脂製の棒材やパイプ材を用いる。なお、金属製の場合には、錆び止めとして樹脂をコーティングするようにしてもよい。
【００３６】
以上のような除雪スコップ１によれば、保持面２１（第１保持面２１ａ，第２保持面２１ｂ）は、先端部２４以外を囲繞するように底面２２ｄ及び側面２２ａ，２２ｂ，ｄｄｃとが互いに連続的に緩やかな曲面で連接され、かつ雪が保持面２１から排出される際の摩擦力を増大させる障害物が形成されない構成としたので、掬部本体２の保持面２１に保持された雪を排出する際、雪が保持面２１を矢印Ｃ方向に移動するのに障害となるものが存在しないことから、雪が保持面２１をスムーズに移動して先端部２４から排出させることが可能となり、保持面２１に雪が残留することがなく、除雪作業効率の向上を図ることができる。
【００３７】
また、除雪スコップ１によれば、掬部本体２に隆起部２６を設け、その両側に第１保持面２１ａと第２保持面２１ｂを形成したので、第１保持面２１ａ及び第２保持面２１ｂには雪が矢印Ｃ方向に移動するのに障害となるものが存在せず、雪を排出する際に第１保持面２１ａ及び第２保持面２１ｂに雪が残留することがなく、除雪作業効率を向上させることができるとともに、隆起部２６によって掬部本体２の補強をも図ることができる。
【００３８】
また、除雪スコップ１は、掬部本体２を合成樹脂により一体成形することにより、簡易かつ安価に大量生産することができる。
【００３９】
次に、図５を参照して、本考案による除雪用具の第２の実施の形態について説明する。図５は、本考案に係る除雪用具の第２の実施の形態を示す部分平面図である。なお、図１乃至図４と実質的に同一の機能及び同一の構成を有するものについては同じ符号を付して説明し、同一の部分についてはその説明を省略する。
【００４０】
図５に示すように、底面２２ｄと連続的に設けられる側面２２ａ，２２ａは、先端部２４から矢印Ｃ方向に離れるに従って漸次広がるように設けられている。この結果、第１保持面２１ａの幅（図５に示す掬部本体２の中心線ＣＬと直交する方向で、中心線ＣＬから側面２２ａまでの距離。）が、図５に示すように、先端部２４に近い位置における幅Ｗ２よりも、先端部２４から離れた位置における幅Ｗ１の方が広くなっている。
【００４１】
このように、先端部２４から矢印Ｃ方向に離れるに従って、雪の収容空間が幅方向に大きくなるように構成されているので、除雪スコップ１により雪を掬い取って保持面２１（第１保持面２１ａ，第２保持面２１ｂ）に保持する際、雪は掬部本体２の先端部２４から入り込んで、矢印Ｃ（図５）方向に保持面２１上を滑り、側面２１ｂまで進んだときに、掬い取られた雪が幅方向に分散させることができる。
【００４２】
なお、本実施の形態では、隆起部２６を形成して、保持面２１が第１保持面２１ａと第２保持面２１ｂとの２つで構成されているものを説明したが、隆起部２６を設けることなく、全体として１つの保持面２１として構成してもよい点は、前記第１の実施の形態と同様である。この場合には、保持面２１の幅は、掬部本体２の中心線ＣＬ（図５）と直交する方向で、一方の側面２１ａと他方の側面２１ａとの距離であり、先端部２４に近い位置における幅よりも、先端部２４から離れた位置における幅の方が広くなるようにして、先端部２４から矢印Ｃ方向に離れるに従って、雪の収容空間が幅方向に大きくなるように構成する。
【００４３】
以上のような除雪スコップ１によれば、保持面２１の幅が、先端部２４近傍よりも先端部２４から離れた位置の方が広く設定されることにより、先端部２４から矢印Ｃ方向に離れるに従って、雪の収容空間が幅方向に大きくなるように構成されているので、除雪スコップ１により雪を掬い取って保持面２１（第１保持面２１ａ，第２保持面２１ｂ）に保持する際、雪は掬部本体２の先端部２４から入り込んで、矢印Ｃ方向（図５）に保持面２１上を滑って移動し、側面２１ｂまで進んだときに、幅方向に雪を分散させることができる。その結果、掬い取られる雪は、保持面２１の奥側で押し固められることなく保持可能になっているので、その保持された雪を排出する場合に、雪が保持面２１に残留することなく雪を排出でき、除雪作業効率の向上を図ることができる。
【００４４】
なお、本考案を除雪用具としての除雪スコップに適用した実施形態について説明したが、除雪用具としては、前記除雪スコップのほか、掬部本体を地面に置いて滑らせながら雪を掬ういわゆるスノーダンプ等も該当するものである。スノーダンプとして使用する場合には、前記実施の形態において説明した掬部本体２に取り付ける棒状の柄部３に代えて、例えば、特開平７−２９２７０３号（特願平６−８８９２９号）における柄部３３（図２参照）を取付けることができるように、柄取付部２８を適当な位置に設けるようにする。
【図面の簡単な説明】
【００４５】
【図１】本考案に係る除雪用具の第１の実施の形態を示す図である。
【図２】図１のＩ−Ｉ線に沿う断面図である。
【図３】図１のＩＩ−ＩＩ線に沿う断面図である。
【図４】本考案に係る除雪用具の第１の実施の形態を示す全体斜視図である。
【図５】本考案に係る除雪用具の第２の実施の形態を示す図である。
【符号の説明】
【００４６】
１    除雪スコップ（除雪用具）
２    掬部本体
３    柄部
２１    保持面
２１ａ  第１保持面
２１ｂ  第２保持面
２２ａ，ｂ，ｃ  側面
２２ｄ  底面
２４    先端部
２６    隆起部
２６ａ  頂部
２７    足掛部
２７ａ  突起
２８    柄取付部
２９    縁部
３１    取っ手
【図１】
0003117289.tif 000003
【図２】
0003117289.tif 000004
【図３】
0003117289.tif 000005
【図４】
0003117289.tif 000006
【図５】
0003117289.tif 000007